(57)【要約】【課題】  機種毎に複数種類用意する必要がなく、生産効率のよい遊技媒体受皿及び当該遊技機媒体受皿を有する遊技機の提供を目的とする。【解決手段】  遊技結果に応じて遊技媒体を払い出す遊技媒体払出口１５と、遊技媒体払出口１５から払い出された遊技媒体を受け入れる遊技媒体受皿１００とを備え、遊技媒体受皿１００は、遊技媒体を載せる底板１０１と、該底板１０１を囲む側壁であって底板１０１と協働して遊技媒体を貯留する側壁１０２とを有し、該側壁１０２には底板１０１が挿入され該底板１０１の鉛直方向の位置を定める溝１０３が形成され、底板１０１を溝１０３に挿入し直すことにより遊技媒体受皿１０１の貯留容量の変更が可能に構成される。【選択図】  図２
2005261472.tif 000002
【特許請求の範囲】
【請求項１】
遊技結果に応じて遊技媒体を払い出す遊技媒体払出口と；
前記遊技媒体払出口から払い出された遊技媒体を受け入れる遊技媒体受皿とを備え；
前記遊技媒体受皿は、前記遊技媒体を載せる底板と、該底板を囲む側壁であって前記底板と協働して前記遊技媒体を貯留する側壁とを有し、
該側壁には前記底板が挿入され該底板の鉛直方向の位置を定める溝が形成され、
前記底板を前記溝に挿入し直すことにより前記遊技媒体受皿の貯留容量の変更が可能に構成された、
遊技機。
【請求項２】
前記溝が複数形成された、請求項１に記載の遊技機。
【請求項３】
前記遊技媒体払出口は筐体に形成され、前記遊技媒体受皿は前記筐体に対して着脱可能に取り付けられる、請求項１又は請求項２に記載の遊技機。
【請求項４】
遊技機から払い出される遊技媒体を受け入れる遊技媒体受皿であって；
前記遊技媒体を載せる底板と、該底板を囲む側壁であって前記底板と協働して前記遊技媒体を貯留する側壁とを有し、該側壁には前記底板が挿入され該底板の鉛直方向の位置を定める溝が形成され、前記底板を前記溝に挿入し直すことにより前記遊技媒体受皿の貯留容量の変更が可能に構成された、
遊技媒体受皿。
【発明の詳細な説明】
【技術分野】
【０００１】
本発明は遊技機、遊技媒体受皿及び遊技機に関し、特に機種毎に複数種類用意する必要がなく、生産効率のよい遊技媒体受皿及び当該遊技機媒体受皿を有する遊技機に関するものである。
【背景技術】
【０００２】
例えば、遊技機、ここではパチスロ機は、正面の表示窓内に複数の図柄を変動表示する回転リールを複数配列して構成した機械的変動表示装置、或いはリール上の図柄を画面に表示する電気的変動表示装置を有する。遊技者のスタート操作に応じて、制御手段が変動表示装置を駆動制御して各リールを回転させることにより、図柄を変動表示させ、一定時間後自動的に或いは遊技者の停止操作により、各リールの回転を順次停止させる。このとき、表示窓内に現れた各リールの図柄が特定の組合せ（入賞図柄）になった場合にメダル、又はコイン等の遊技媒体を払出すことで遊技者に利益を付与する。
【０００３】
このような従来の遊技機では、各リールの図柄が特定の組合せ（入賞図柄）になりメダル、又はコイン等の遊技媒体を遊技者に対して払い出す場合、あるいは遊技媒体を遊技者に対して返却する場合には、遊技機の前面下部に形成された払出口を介して、払出口の下方に位置する受皿に遊技媒体を払い出し、あるいは返却していた。また、このような、遊技機では、例えば、大当たりの際に遊技媒体が一気に受皿に満杯になる場合等に、遊技媒体を受皿から別の収納箱に容易に移動させることができる遊技機があった（例えば、特許文献１参照。）。
【特許文献１】特開平１０−１７９８８２号公報  （第３−５頁、第１図−第２図）
【発明の開示】
【発明が解決しようとする課題】
【０００４】
しかしながら、上記のような遊技機では、例えば、機種毎に遊技媒体の払い出し数は異なる。この場合、例えば、受皿の遊技媒体貯留容量を、払い出し数の多いものに合わせると興趣性をそいでしまうことがあるため、機種毎に複数種類の受皿を用意する必要があり、遊技機の生産効率を下げることがあった。
【０００５】
そこで本発明は、機種毎に複数種類用意する必要がなく、生産効率のよい遊技媒体受皿及び当該遊技機媒体受皿を有する遊技機の提供を目的とする。
【課題を解決するための手段】
【０００６】
上記目的を達成するために、請求項１に係る発明による遊技機は、例えば図２に示すように、遊技結果に応じて遊技媒体を払い出す遊技媒体払出口１５と；遊技媒体払出口１５から払い出された遊技媒体を受け入れる遊技媒体受皿１００とを備え；遊技媒体受皿１００は、遊技媒体を載せる底板１０１と、該底板１０１を囲む側壁であって底板１０１と協働して遊技媒体を貯留する側壁１０２とを有し、該側壁１０２には底板１０１が挿入され該底板１０１の鉛直方向の位置を定める溝１０３が形成され、底板１０１を溝１０３に挿入し直すことにより遊技媒体受皿１０１の貯留容量の変更が可能に構成される。
【０００７】
このように構成すると、底板を溝に挿入し直すことにより遊技媒体受皿の貯留容量の変更が可能に構成されるので、機種毎に複数種類用意する必要がなく、生産効率のよい遊技媒体受皿を有する遊技機の提供することができる。
【０００８】
また請求項２に記載のように、請求項１に記載の遊技機では、溝１０３が複数形成されてもよい。
【０００９】
このように構成すると、溝が複数形成されるので、底板を溝に挿入し直すことにより遊技媒体の貯留容量を複数段階に変更することが可能となる。
【００１０】
また請求項３に記載のように、請求項１又は請求項２に記載の遊技機では、遊技媒体払出口１５は筐体２に形成され、遊技媒体受皿１００は筐体２に対して着脱可能に取り付けられるように構成してもよい。
【００１１】
このように構成すると、遊技媒体受皿は筐体に対して着脱可能に取り付けられるので、遊技媒体受皿を新規に生産する必要がなくなり、より生産効率のよい遊技機とすることができる。
【００１２】
上記目的を達成するために、請求項４に係る発明による遊技媒体受皿は、例えば図２に示すように、遊技機から払い出される遊技媒体を受け入れる遊技媒体受皿１０１であって；遊技媒体を載せる底板１０１と、該底板１０１を囲む側壁１０２であって底板１０１と協働して遊技媒体を貯留する側壁１０２とを有し、該側壁１０２には底板１０１が挿入され該底板１０１の鉛直方向の位置を定める溝１０３が形成され、底板１０１を溝１０３に挿入し直すことにより遊技媒体受皿１０１の貯留容量の変更が可能に構成される。
【００１３】
このように構成すると、底板を溝に挿入し直すことにより遊技媒体受皿の貯留容量の変更が可能に構成されるので、機種毎に複数種類用意する必要がなく、生産効率のよい遊技媒体受皿を提供することができる。
【発明の効果】
【００１４】
以上のように本発明によれば、機種毎に複数種類用意する必要がなく、生産効率のよい遊技媒体受皿及び当該遊技機媒体受皿を有する遊技機を提供することができる。
【発明を実施するための最良の形態】
【００１５】
以下、本発明の実施の形態を図示例と共に説明する。図１から図５は、発明を実施する形態の一例であって、図中、同一または類似の符号を付した部分は同一物または相当物を表わし、重複した説明は省略する。
【００１６】
図１は、本発明の第１の実施の形態に係る遊技機１の外観を示す正面斜視図である。本発明に係る遊技機は、例えば、パチスロ遊技機、パチンコ機、その他遊技に伴って遊技機から払い出される遊技媒体を受け入れる遊技媒体受皿を備える遊技機に適用される。本発明の第１の実施の形態に係る遊技機１は、いわゆる「パチスロ遊技機」である。この遊技機１は、コイン、メダル、遊技球又はトークンなどの遊技媒体を用いて遊技する遊技機であるが、以下では、遊技媒体としてのメダルを用いるものとして説明する。
【００１７】
遊技機１の全体を形成している筐体としてのキャビネット２の正面には、略垂直面としてのパネル表示部５ａが形成され、その中央には縦長矩形のリール表示窓４Ｌ、４Ｃ、４Ｒが横方向に順番に設けられている。キャビネット２の内部には、各々の外周面に複数種類の図柄、例えば不図示の“赤７図柄”、“青７図柄”、“ＢＡＲ図柄”、“ベル図柄”、“プラム図柄”、“Ｒｅｐｌａｙ図柄”及び“チェリー図柄”の図柄によって構成される図柄列が描かれた３個の左リール３Ｌ、中リール３Ｃ、右リール３Ｒが回転自在に横一列に設けられている。各リールの図柄はリール表示窓４Ｌ、４Ｃ、４Ｒを通して遊技者に観察させることができる。各リールは、定速回転として例えば、毎分８０回転で回転するように構成するとよい。
【００１８】
パネル表示部５ａの背面には、上述した各リールの全面を覆いパネル表示部５ａとほぼ同程度の大きさで、大画面（例えば、１５インチ若しくは２０インチ形式）による演出表示等を行う液晶表示装置５が配設されている。さらに、パネル表示部５ａの左側には、パネル表示部５ｂが設けられており、当該パネル表示部５ｂには、遊技者による遊技の際に種々の情報を表示する各種表示部が設けられている。
【００１９】
リール表示窓４Ｌ、４Ｃ、４Ｒの下方には水平面の台座部１０が形成されており、台座部１０には遊技に関連する情報（例えば、入賞態様、リプレイ確率、内部当選告知のリール停止態様等）を印刷して表示することもできる。
【００２０】
台座部１０の右端部側には、遊技者がメダルを遊技機１内に投入するための遊技媒体投入口としてのメダル投入口２２が設けられ、左端部側には最大ＢＥＴボタン１３が設けられている。この最大ＢＥＴボタン１３が、１回のゲームに賭けることが可能な最大枚数のメダルが賭けられるように構成されている。最大ＢＥＴボタン１３の左側、パネル表示部５ｂの下方には、１−ＢＥＴボタン１１、２−ＢＥＴボタン１２がそれぞれ配設されている。１−ＢＥＴボタン１１の１回の押下操作により、クレジットされているメダルのうちの１枚がゲームに賭けられ、２−ＢＥＴボタン１２の１回の押下操作により、クレジットされているメダルのうちの２枚がゲームに賭けられ、これらのＢＥＴボタンを操作することで、次に説明する１つ又は複数の入賞ラインが有効化されるように構成されている。
【００２１】
リール表示窓４Ｌ、４Ｃ、４Ｒには、入賞ラインとして水平方向にトップライン、センターライン及びボトムライン、斜め方向にクロスダウンライン及びクロスアップラインが設けられている。これらの入賞ラインは、１−ＢＥＴボタン１１と、２−ＢＥＴボタン１２と、操作性の高い大きな最大ＢＥＴボタン１３のいずれかを押下操作すること、あるいは、メダル投入口２２にメダルを投入することにより、入賞ラインが、メダルを１枚ベットするならば１本、メダルを２枚ベットするならば３本、メダルを３枚ベットするならば５本有効化される。ここで、各入賞ラインは、役の入賞確率の増減に関してその成否を左右するように構成されている。
【００２２】
すなわち、所定の役（例えば、「ＢＢ」）に対応する一の図柄（例えば、“赤７図柄”）が有効化された入賞ラインに揃うことにより、例えば、ＢＥＴ数が“３”であればトップライン、センターライン、ボトムライン、クロスダウンライン、及びクロスアップラインの中の何れか１つの入賞ラインに揃う（並んで停止表示される）ことにより、“ＢＢ”の入賞が成立することとなる。本実施の形態では、１つのゲーム（例えば、単位遊技）は、全てのリールが停止したときに終了する。
【００２３】
ここで、ＢＢ、ＲＢとは以下のようなものである。現在主流の機種は、複数種類の入賞態様を有する。特に、ある役の入賞が成立したときは、１回のメダルの払出しに終わらず、所定時間、通常の状態よりも条件の良い遊技状態となる。このような役として、遊技者に相対的に大きい利益を与えるゲームを所定回数行える役と、遊技者に相対的に小さい利益を与えるゲームを所定回数行える役とがある。前者を「ビッグボーナス」と称し、以下「ＢＢ」と略記する。後者を「レギュラーボーナス」と称し、以下「ＲＢ」と略記する。
【００２４】
また、現在主流の機種においては、有効化された入賞ライン（以下「有効ライン」という）に沿って所定の図柄の組合せが並び、メダル、コイン等が払出される入賞が成立するためには、内部的な抽選処理により役に当選（以下「内部当選」という）し、且つその内部当選した役（以下「内部当選役」という）の入賞成立を示す図柄組合せを有効ラインに停止できるタイミングで遊技者が停止操作を行うことが要求される。つまり、いくら内部当選したとしても、遊技者の停止操作のタイミングが悪いと内部当選役の入賞を成立させることができない。すなわち、停止操作をタイミングよく行う技術が要求される（「目押し」といわれる技術介入性の比重が高い）。
【００２５】
台座部１０の前面部の右端部には、遊技者がゲームで獲得したメダルのクレジット／払出しを押しボタン操作で切り換えるＣ／Ｐスイッチ１４が設けられている。このＣ／Ｐスイッチ１４の切り換えにより、正面に配設されている表面に情報が描かれた化粧用パネル２４の下方に形成された遊技結果に応じてメダルを払い出すメダル払出口１５からメダルが払い出されるように構成されている。
【００２６】
ここで、遊技結果とは、不図示の主制御回路等の制御によって、役に内部当選し、且つその内部当選役の入賞成立を示す図柄組合せを有効ラインに停止できるタイミングで遊技者が各リール３Ｌ、３Ｃ、３Ｒを停止させた結果のことをいい、典型的には、ハズレを含む小役入賞やＢＢ、ＲＢ入賞等の役がある。
【００２７】
また、台座部１０の前面部の左端部には、遊技者の操作により上記全リールを例えば下方向に図柄が流れるように回転させ、リール表示窓４Ｌ、４Ｃ、４Ｒ内での図柄の変動表示を開始させるスタートレバー６が所定の角度範囲で回動自在に取り付けられている。すなわち、スタートレバー６は、１回の操作により、自立的にニュートラルポジション（例えば、図示したように遊技者に対向して直立状態）に復帰する。
【００２８】
また、台座部１０の前面部の略中央、すなわち、Ｃ／Ｐスイッチ１４とスタートレバー６との間には、遊技者が手で操作し易い位置に、合計３個の左リール３Ｌ、中リール３Ｃ、右リール３Ｒの回転を任意に停止させる合計３個のリール停止ボタン７Ｌ、リール停止ボタン７Ｃ、及びリール停止ボタン７Ｒが設けられている。遊技者による各リール停止ボタン７Ｌ、７Ｃ、７Ｒの停止操作等により、所定の遊技結果、例えば小役入賞やＢＢ、ＲＢ入賞などが得られると、該遊技結果に応じて所定枚数のメダルが、メダル払出口１５から払い出されるように構成されている。
【００２９】
遊技機１の全体を形成しているキャビネット２は、ケーシング２ａと、ケーシング２ａに対してヒンジ（不図示）等により開閉自在に取り付けられ、キャビネット２の前面を形成する前面扉２ｂとを含んで構成されている。ケーシング２ａは、略直方体で１つの面に開口が形成されており、前面扉２ｂの開閉により該開口を開放または閉鎖状態とすることが可能なように構成されている。また、前面扉２ｂもケーシング２ａと同様に略直方体で１つの面に開口が形成されている。前面扉２ｂの遊技機１に向かって手前側の面、すなわち、遊技者が遊技を行う際に対向する面は、上述した各種ボタンやパネル表示部５ａ、スタートレバー６、各リール停止ボタン７Ｌ、７Ｃ、７Ｒ、後述する遊技媒体受皿としてのメダル受皿１００等が配された遊技盤面を構成している。
【００３０】
なお、以下の説明では、特に断りのない限り、前面扉２ｂの「遊技盤面」側の面を単に「前面」という。また、以下の説明では、特に断りのない限り、ケーシング２ａの「遊技盤面」と対向する側の面を単に「背面」という。
【００３１】
ケーシング２ａと前面扉２ｂとは、閉鎖状態で、ケーシング２ａと前面扉２ｂの開口が互いに対面するように取り付けられることで、キャビネット２内部に、各リール３Ｌ、３Ｃ、３Ｒ、遊技結果に基づいてメダルを一枚ずつ遊技機１の外部に繰り出すメダル払出装置（不図示）、遊技機１で行われる遊技や遊技機１の各部を制御する主制御回路（不図示）、その他遊技機１に組み付けられる各種の部品を収納するように構成されている。
【００３２】
さらに、遊技機１には、前面扉２ｂの前面側、メダル払出口１５の下方に、遊技機１のメダル払出口１５から払い出されるメダルを受け入れ、貯留する遊技媒体受皿としてのメダル受皿１００が取り付けられている。メダル受皿１００は、次に説明するトレイガード板１０１、側壁１０２を有しており、前面扉２ｂの背面側からビス（不図示）等によって遊技機１に着脱可能に固定的に取り付けられている。
【００３３】
図２は、本発明の第１の実施の形態に係る遊技機１のメダル受皿１００の外観を示す斜視図であり、（ａ）は前面側から視た部分斜視図、（ｂ）は背面側から視た部分斜視図である。メダル受皿１００は、図２（ａ）に示すように、メダルを載せる底板としてのトレイガード板１０１と、該トレイガード板１０１を囲む側壁であってトレイガード板１０１と協働してメダルを貯留する側壁１０２とを有し、該側壁１０２にはトレイガード板１０１が挿入され該トレイガード板１０１の鉛直方向の位置を定める溝１０３が形成され、トレイガード板１０１を溝１０３に挿入し直すことによりメダル受皿１００のメダルの貯留容量の変更が可能に構成されている。
【００３４】
側壁１０２は、遊技盤面に向かって左側の側壁である左側壁１０２ａ、右側の側壁である右側壁１０２ｃ、左側壁１０２ａと右側壁１０２ｃとの間の遊技盤面に向かって手前側に形成される側壁である中側壁１０２ｂとを含んで、全体として略コの字型に形成されている。すなわち、側壁１０２は、典型的には、背面側を除く三方からトレイガード板１０１を囲むように形成されている。なお、本実施の形態では、左側壁１０２ａのさらに左側には、灰皿１０６（図１参照）を取り付けるための取付部１０７が、遊技盤面に向かって手前側を開口とする略コの字型に形成されている。
【００３５】
溝１０３は、側壁１０２に典型的には複数本、本実施の形態では、図２（ｂ）に示すように、２本形成されている。２本の溝１０３ａ、１０３ｂは、側壁１０２の略コの字型の内側の側面に形成されており、ともに鉛直方向に略直交するように、左側壁１０２ａ、中側壁１０２ｂ、右側壁１０２ｃに渡って形成されている。溝１０３ａと溝１０３ｂとは、互いに略平行となるように形成されており、溝１０３ａは、鉛直方向に対して側壁１０２の略中央に、溝１０３ｂは、鉛直方向に対して側壁１０２の略下縁に形成されている。
【００３６】
トレイガード板１０１は、メダル払出口１５から払い出されるメダルを載置する載置部１０１ａと、載置部１０１ａを略垂直に鉛直方向下側に折り曲げて形成される梁部１０１ｂとを含んで形成されている。トレイガード板１０１は、略長方形の板金を短辺方向（遊技１に設置された状態で、遊技盤面に略直交する方向）にＬ字型に曲げ加工することにより形成されている。また、トレイガード板１０１は、次に説明するように側壁１０２に取り付けられた状態で、略コの字型の内側にはまり込む大きさとなるように形成されている。
【００３７】
トレイガード板１０１は、載置部１０１ａの折れ曲がっている側の縁部１０１ｃに直交する２つの縁部１０１ｄ、１０１ｅ（短辺の２つの縁部）を溝１０３ａあるいは溝１０３ｂに挿入し、載置部１０１ａの折れ曲がっている側の縁部１０１ｃに対向する１つの縁部１０１ｆ（遊技盤面に向かって手前側の長辺の縁部）が中側壁１０２ｂに当接するまで、２つの縁部１０１ｄ、１０１ｅと溝１０３ａあるいは溝１０３ｂとが当接した状態で摺動させることで側壁１０２に取り付けられる。
【００３８】
図３は、本発明の第１の実施の形態に係る遊技機１のメダル受皿１００の短辺方向に対する断面図であり、（ａ）はトレイガード板１０１が側壁１０２の略中央に形成された溝１０３ａに挿入された状態を示す断面図、（ｂ）はトレイガード板１０１が側壁１０２の略下縁に形成される溝１０３ｂに挿入された状態を示す断面図である。
【００３９】
メダル受皿１００は、トレイガード板１０１、側壁１０２及び前面扉２ｂによって画成されるメダル貯留部１０８にメダルを貯留するように構成される。すなわち、本実施の形態では、トレイガード板１０１、側壁１０２及び前面扉２ｂが、協動してメダルを貯留する。メダル貯留部１０８は、鉛直方向上側が開口した空間であり、メダル払出口１５（図２参照）から払い出されるメダルは、当該開口を介してメダル貯留部１０８に放出され、貯留される。
【００４０】
溝１０３ａ、１０３ｂは、上述したように、鉛直方向に略直交、すなわち略水平に形成されているため、溝１０３ａあるいは溝１０３ｂによって支持されて側壁１０２に取り付けられるトレイガード板１０１も、載置部１０１ａが略水平となる。トレイガード板１０１は、載置部１０１ａの鉛直方向上側に、メダル払出口１５（図２参照）から払い出されるメダルを載置して、溝１０３ａあるいは溝１０３ｂによってその加重が支持される。載置部１０１ａの溝１０３ａあるいは溝１０３ｂによって支持されていない側では、梁部１０１ｂが、メダルが載置されることによる長手方向に対しての垂直加重やたわみを支持する。
【００４１】
また、溝１０３ａ、１０３ｂは、上述したように、略水平で互いに略平行に形成されているため、トレイガード板１０１をいずれの溝に挿入するかによって、トレイガード板１０１の鉛直方向の位置を定めることができ、これにより、メダル貯留部１０８のメダルの貯留容量を変更することができる。
【００４２】
図３（ａ）に示すように、例えば、トレイガード板１０１が側壁１０２の略中央に形成される溝１０３ａに挿入された場合には、貯留容量は相対的に少量となり、図３（ｂ）に示すように、トレイガード板１０１が側壁１０２の略下縁に形成される溝１０３ｂに挿入し直された場合の貯留容量（相対的に多量）と比較して約半分程度となる。したがって、溝１０３ａあるいは溝１０３ｂに挿入されているトレイガード板１０１を、他方の溝に挿入し直すことで、適宜貯留容量を変更することができる。
【００４３】
次に、図４を参照して本発明の第２の実施の形態に係る遊技機の説明をする。
【００４４】
図４は、本発明の第２の実施の形態に係る遊技機の前面扉２ｂを背面側から視た部分斜視図である。第２の実施の形態に係る遊技機の説明では、第１の実施の形態と共通する構成については、重複した説明はできるだけ省略する。
【００４５】
本発明の第２の実施の形態に係る遊技機は、第１の実施の形態に係る遊技機１ではメダル受皿１００が前面扉２ｂの背面側からビス（不図示）等によって遊技機１に着脱可能に固定的に取り付けられているのに対して、メダル受皿１００が前面扉２ｂと一体に形成されている点で第１の実施の形態に係る遊技機１とは異なる。
【００４６】
本発明の第２の実施の形態に係る遊技機は、前面扉２ｂの背面側に、略長方形のスリット１０４が形成されている。スリット１０４は、本実施の形態では、２本形成されており、２本のスリット１０４ａ、１０４ｂは、ともに鉛直方向に略直交し、互いに略平行となるように形成されている。スリット１０４ａは、鉛直方向に対して溝１０３ａ（図３参照）と、スリット１０４ｂは溝１０３ｂ（図３参照）とほぼ同じ位置に形成されており、トレイガード板１０１がスリット１０４ａから挿入されると溝１０３ａに、スリット１０４ｂから挿入されると溝１０３ｂに、連続的に導入されるように構成されている。
【００４７】
したがって、本発明の第２の実施の形態に係る遊技機は、メダル受皿１００が前面扉２ｂと一体に形成される場合であっても、前面扉２ｂの背面側にスリット１０４ａ、１０４ｂが形成されるので、溝１０３ａ（図３参照）あるいは溝１０３ｂ（図３参照）に挿入されているトレイガード板１０１を、スリット１０４ａあるいはスリット１０４ｂを介して他方の溝に挿入し直すことで、適宜貯留容量を変更することができる構成となる。なお、このとき、トレイガード板１０１をスリット１０４ａに挿入するときは、梁部１０１ｂ側の縁部１０１ｃが鉛直方向下向き、トレイガード板１０１をスリット１０４ｂに挿入するときは、梁部１０１ｂ側の縁部１０１ｃが鉛直方向上向きになるように挿入し直すことで、トレイガード板１０１が挿入されていないスリットを梁部１０１ｂによって覆うことができるので、スリットから異物が挿入され、不正行為が行われることがない。また、好適には、梁部１０１ｂの短辺方向（すなわち、鉛直方向）の長さは、少なくともスリット１０４ａと１０４ｂとの間隔にスリットの鉛直方向の長さを加えた長さ以上の長さである。これにより、スリットを梁部１０１ｂによって完全に覆うことができる。
【００４８】
次に、図５を参照して本発明の第３の実施の形態に係る遊技機の説明をする。
【００４９】
図５は、本発明の第３の実施の形態に係る遊技機のトレイガード板１０５を示した図であり、（ａ）、（ａ’）はトレイガード板１０５の斜視図、（ｂ）、（ｂ’）はメダル受皿１１１にトレイガード板１０５が取り付けられた状態を示す長辺方向に対する断面図である。第３の実施の形態に係る遊技機の説明では、第１の実施の形態と共通する構成については、重複した説明はできるだけ省略する。なお、本図は、以下で説明するように、（ａ）と（ｂ）とが、（ａ’）と（ｂ’）とが対応した関係として図示している。
【００５０】
本発明の第３の実施の形態に係る遊技機は、第１の実施の形態に係る遊技機１ではメダル受皿１００（図２参照）の側壁１０２に２本の溝１０３ａ、１０３ｂ（図２参照）が形成されているのに対して、メダル受皿１１１の側壁１０２に溝１０９が１本のみ形成されている点で第１の実施の形態に係る遊技機１とは異なる。
【００５１】
また、第３の実施の形態に係るトレイガード板１０５は、第１の実施の形態に係るトレイガード板１０１（図２参照）は、略長方形の板金を短辺方向にＬ字型に曲げ加工することにより形成されているのに対して、第３の実施の形態に係るトレイガード板１０５は、形状が異なる点でも第１の実施の形態に係るトレイガード板１０１とは異なる。
【００５２】
トレイガード板１０５は、メダルを載置する載置部１０５ａが１つの面が開口した略直方体状に形成されており、当該開口面の縁部にタブ１０５ｂが形成されている。タブ１０５ｂは、開口面の縁部のうちの１つの長辺を除く３辺に、全体として略コの字型になるように、かつ、略水平方向に外側（メダル貯留部１１０とは反対側）に向かって突出するように形成されている。
【００５３】
トレイガード板１０５は、タブ１０５ｂを溝１０９に挿入し、タブ１０５ｂが中側壁１０２ｂに当接するまで、タブ１０５ｂと溝１０９とが当接した状態で摺動させることで側壁１０２に取り付けられる。トレイガード板１０５は、開口面に対向する載置面１０５ｃにメダルを載置し、トレイガード板１０５、側壁１０２及び前面扉２ｂ（図２参照）が、協動してメダルを貯留する。さらに、本実施の形態では、トレイガード板１０５の開口面の向きを変更して溝１０９に挿入し直すことで、メダル貯留部１１０のメダルの適宜貯留容量を変更することができる。
【００５４】
つまり、トレイガード板１０５は、図５（ａ）、（ｂ）に示すように、開口面が鉛直方向下向きとなるように側壁１０２に挿入されることで、載置面１０５ｃの開口面に対向する側の反対側がメダルを実際に載置する面となり、メダル貯留部１１０の体積が比較的小さくなるため、メダルの貯留容量は比較的少量となる。これに対し、トレイガード板１０５が、図５（ａ’）、（ｂ’）に示すように、開口面が鉛直方向上向きとなるように挿入し直されることで、載置面１０５ｃの開口面に対向する側がメダルを実際に載置する面となり、メダル貯留部１１０の体積が比較的大きくなるため、メダルの貯留容量は比較的多量となる。
【００５５】
したがって、本発明の第３の実施の形態に係る遊技機は、側壁１０２に形成される溝１０９の本数が１本である場合であっても、トレイガード板１０５を、開口面の向きを変更して溝１０９に挿入し直すことで、適宜貯留容量を変更することができる構成となる。
【００５６】
以上で説明した第１の実施の形態乃至第３の実施の形態に係る遊技機、メダル受皿によれば、トレイガード板を側壁に形成された溝に挿入し直すこと、すなわち、第１、第２の実施の形態ではトレイガード板を別の溝に挿入し直すこと、第３の実施の形態ではトレイガード板の向きを変えて溝に挿入し直すことにより、メダル受皿のメダルの貯留容量を容易に変更することができ、メダル受皿の容量を変更する必要が生じた場合に迅速に対応することが可能となる。
【００５７】
これにより、例えば、「ＢＢ」に入賞したのに、メダル受皿が満載（あるいは満載に近い状態）にならず、メダル受皿に貯留されているメダル枚数が少なく見えることによって興趣性をそぐといったことがない上に、メダルの払出枚数が異なる遊技機種毎に、各機種の払出枚数に対応したメダル受皿を個別に製造する必要がなく、ほぼ同じ構成の単一のメダル受皿を製造すればよいので、時間的にもコスト的にも生産効率のよいメダル受皿及び遊技機を提供することができる。
【００５８】
また、以上で説明した第１の実施の形態乃至第３の実施の形態に係る遊技機、メダル受皿によれば、同一のキャビネットを用いて異なる機種の遊技機を製造する場合でも、メダル受皿を新規に製造するまでもなく、遊技機の遊技性に応じたメダルの払出枚数の違いに対応して、メダル受皿のメダル貯留容量を変更することができるので、より時間的にもコスト的にも生産効率のよいメダル受皿及び遊技機を提供することができる上に、資源を無駄にせず環境に配慮したメダル受皿及び遊技機とすることができる。
【００５９】
これにより、遊技機の開発から、遊技機を市場に流通させる前に行われる遊技機構造に関する検査、典型的には、第３者機関による国家公安委員会の規則に基づく検査に至る過程に費やされる時間も、短縮することができる。また、仮に、遊技機を店舗に設置した後にメダル受皿の貯留容量の変更が必要となった場合でも、トレイガード板を側壁に形成された溝に挿入し直すことでメダル受皿の貯留容量を変更することができるので、当事者のニーズに迅速に対応することも可能となりうる。
【００６０】
さらに、以上で説明した第１の実施の形態又は第３の実施の形態に係る遊技機、メダル受皿によれば、メダル受皿は遊技機に対して着脱可能に構成されているので、メダル受皿を使い回すことができるし、既存の遊技機に本実施の形態に係るメダル受皿を容易に取り付けることができる。
【００６１】
また、以上で説明した第２の実施の形態に係る遊技機、メダル受皿によれば、メダル受皿と、遊技機とが一体に構成されるので、部品点数を減らすことができ、簡明な構成の遊技機とすることができる。
【００６２】
さらに、以上で説明した第１の実施の形態又は第２の実施の形態に係る遊技機、メダル受皿によれば、溝の数を適宜増やしておけば、所望の貯留容量を段階的に設定することができるので、当事者のニーズにより的確に対応することができる。
【００６３】
なお、メダル受皿の貯留容量は、例えば、メダル受皿の上面でメダルをならした状態で、溝１０３ａにトレイガード板１０５を挿入した場合には、ＢＢで１回分で払い出されるメダル枚数として５００枚分程度、溝１０３ｂにトレイガード板１０５を挿入した場合には、ＢＢ１回分で払い出されるメダル枚数にさらに数回分の遊技を行うことができる枚数を加えてた枚数として７００枚分程度というように適宜設定すればよい。
【００６４】
なお、本発明の実施の形態である遊技機、メダル受皿は、上述した実施の形態に限定されず、特許請求の範囲に記載された範囲で種々の変更が可能である。
【００６５】
以上の説明では、側壁１０２は、背面側を除く三方からトレイガード板を囲むように形成され、トレイガード板、側壁及び前面扉が、協動してメダルを貯留するものとして説明したが、側壁１０２は、トレイガード板を四方から囲うように構成し、トレイガード板、側壁が協動してメダルを貯留するように構成してもよい。また、側壁１０２は、略円弧状に形成されていてもよく、要するに、トレイガード板を囲み、トレイガード板と協働してメダルを貯留するように形成されていればよい。
【００６６】
以上の説明では、メダル受皿は、前面扉２ｂに取り付けるものとして説明したが、要するに遊技盤面の遊技者が対向する面のメダル払出口１５の下流にあればよく、ケーシング２ａに取り付けられていてもよい。
【００６７】
以上の説明では、メダル受皿は、前面扉２ｂの背面側からビス（不図示）等によって遊技機１に着脱可能に固定的に取り付けられるものとして説明したが、メダル受皿に凸部又は凹部のいずれか一方を形成し、当該凸部又は凹部が、前面扉２ｂに形成される凸部又は凹部のうちの他方と嵌合することにより、前面扉２ｂに取り付けるように構成してもよい。
【００６８】
以上の説明では、トレイガード板は金属で形成するものとして説明したが、これに限らず、樹脂等で形成してもよいことはいうまでもない。
【００６９】
なお、本発明に係る遊技機は、上述した実施形態のパチスロ遊技機に限定されるものではなく、パチンコ遊技機、ビデオスロット遊技機等の遊技媒体を用いて遊技する他の遊技機にも適用することができる。この場合は、有価の遊技媒体としてコイン、硬貨、遊技球又はトークンなどを用いて遊技することができる。
【図面の簡単な説明】
【００７０】
【図１】本発明の第１の実施の形態に係る遊技機の外観を示す正面斜視図である。
【図２】本発明の第１の実施の形態に係る遊技機のメダル受皿の外観を示す斜視図であり、（ａ）は前面側から視た部分斜視図、（ｂ）は背面側から視た部分斜視図である。
【図３】本発明の第１の実施の形態に係る遊技機のメダル受皿の短辺方向に対する断面図であり、（ａ）はトレイガード板が側壁の略中央に形成された溝に挿入された状態を示す断面図、（ｂ）はトレイガード板が側壁の略下縁に形成される溝に挿入された状態を示す断面図である。
【図４】本発明の第２の実施の形態に係る遊技機の前面扉を背面側から視た部分斜視図である。
【図５】本発明の第３の実施の形態に係る遊技機のトレイガード板を示した図であり、（ａ）、（ａ’）はトレイガード板の斜視図、（ｂ）、（ｂ’）はメダル受皿の長辺方向に対する断面図である。
【符号の説明】
【００７１】
１    遊技機
２    キャビネット
２ａ    ケーシング
２ｂ    前面扉
６    スタートレバー
７Ｌ、７Ｃ、７Ｒ    リール停止ボタン
１５    メダル払出口
１００、１１１    メダル受皿
１０１、１０５    トレイガード板
１０１ａ、１０５ａ    載置部
１０１ｂ          梁部
１０２    側壁
１０３、１０３ａ、１０３ｂ、１０９    溝
１０４、１０４ａ、１０４ｂ    スリット
１０５ｂ    タブ
１０５ｃ    載置面
１０８、１１０    メダル貯留部
【図１】
2005261472.tif 000003
【図２】
2005261472.tif 000004
【図３】
2005261472.tif 000005
【図４】
2005261472.tif 000006
【図５】
2005261472.tif 000007